(57)【特許請求の範囲】
【請求項１】
スローシャッタの撮像方法であって、
撮像過程において、画像データをキャッシュモジュールに連続的に収集し、前記キャッシュモジュールの余剰スペースに応じて、収集速度を調整することと、
前記画像データに応じて、画像を連続的に生成し、具体的には、現在受信された画像データを過去受信された画像データに加算した後、画像を合成して合成画像を得て、前記合成画像に対してノイズ低減処理を行うとともに、現有画像の露光度に応じて、新たに収集された画像の合成比例を制御することと、
ビューファインダーに前記画像を表示することとを含む
ことを特徴とする、前記方法。
【請求項２】
前記キャッシュモジュールの余剰スペースに応じて、収集速度を調整することは、
前記キャッシュモジュールの余剰スペースが予め設定された値に達するかどうかを判断することと、
予め設定された値に達した場合、収集速度を予め設定された速度に調整することとを含む
ことを特徴とする請求項１に記載の方法。
【請求項３】
前記画像データに応じて、画像を連続的に生成することは、
前記画像データに応じて、プレビューサイズ画像とフルサイズ画像をそれぞれ連続的に生成することを含み、
前記ビューファインダーに前記画像を表示することは、
ビューファインダーに前記プレビューサイズ画像を表示することを含む
ことを特徴とする請求項１に記載の方法。
【請求項４】
前記ビューファインダーに前記画像を表示することは、
ビューファインダーに前記画像を一つずつ表示し、且つ後に生成された画像で先に生成された画像をオーバーレイすることを含む
ことを特徴とする請求項１に記載の方法。
【請求項５】
前記ビューファインダーに前記画像を表示することは、
ビューファインダーに前記プレビューサイズ画像を一つずつ表示し、且つ後に生成されたプレビューサイズ画像で先に生成されたプレビューサイズ画像をオーバーレイすることを含む
ことを特徴とする請求項３に記載の方法。
【請求項６】
前記ビューファインダーに前記画像を表示した後、更に、
撮像終了後、ビューファインダーにすべての生成された画像を表示することと、
ビューファインダーでユーザーにより選択された画像を最終に撮像された写真とし、画像記憶モジュールに記憶することとを含む
ことを特徴とする請求項１に記載の方法。
【請求項７】
前記ビューファインダーに前記画像を表示した後、更に、
撮像終了後、ビューファインダーにすべての生成されたプレビューサイズ画像を表示することと、
ビューファインダーでユーザーにより選択されたプレビューサイズ画像に対応するフルサイズ画像を最終に撮像された写真とし、画像記憶モジュールに記憶することとを含む
ことを特徴とする請求項３に記載の方法。
【請求項８】
前記ビューファインダーに前記画像を表示した後、更に、
撮像終了後、ビューファインダーに現在表示されている画像を最終に撮像された写真とし、画像記憶モジュールに記憶することを含む
ことを特徴とする請求項１に記載の方法。
【請求項９】
前記ビューファインダーに前記画像を表示した後、更に、
撮像終了後、ビューファインダーに現在表示されているプレビューサイズ画像に対応するフルサイズ画像を最終に撮像された写真とし、画像記憶モジュールに記憶することを含む
ことを特徴とする請求項３に記載の方法。
【請求項１０】
撮像装置であって、
各モジュールの動作を総合的に制御するように構成される制御モジュールと、
撮像過程において、画像データをキャッシュモジュールに連続的に収集し、前記キャッシュモジュールの余剰スペースに応じて、収集速度を調整するように構成される撮像モジュールと、
前記画像データをキャッシュするように構成されるキャッシュモジュールと、
前記画像データに応じて、画像を連続的に生成し、具体的には、現在受信された画像データを過去受信された画像データに加算した後、画像を合成して合成画像を得て、前記合成画像に対してノイズ低減処理を行うとともに、現有画像の露光度に応じて、新たに収集された画像の合成比例を制御するように構成される生成モジュールと、
前記連続的に生成された画像を一時的に記憶するように構成される一時記憶モジュールと、
ビューファインダーに前記画像を表示するように構成される表示モジュールとを備える
ことを特徴とする、前記装置。
【請求項１１】
前記撮像モジュールは、更に、
前記キャッシュモジュールの余剰スペースが予め設定された値に達するかどうかを判断し、予め設定された値に達した場合、収集速度を予め設定された速度に調整するように構成される
ことを特徴とする請求項１０に記載の装置。
【請求項１２】
前記一時記憶モジュールは、第一の一時記憶ユニットと第二の一時記憶ユニットを備え、
前記生成モジュールは、収集された画像データに応じて、プレビューサイズ画像とフルサイズ画像をそれぞれ連続的に生成し、前記プレビューサイズ画像を前記第一の一時記憶ユニットに記憶し、前記フルサイズ画像を前記第二の一時記憶ユニットに記憶するように構成され、
前記制御モジュールは、第一の一時記憶ユニットに記憶されるプレビューサイズ画像を前記表示モジュールに出力して表示するように構成される
ことを特徴とする請求項１０に記載の装置。
【請求項１３】
前記表示モジュールは、ビューファインダーに前記画像を一つずつ表示し、且つ後に生成された画像で先に生成された画像をオーバーレイするように構成される
ことを特徴とする請求項１０に記載の装置。
【請求項１４】
前記表示モジュールは、ビューファインダーに前記プレビューサイズ画像を一つずつ表示し、且つ後に生成されたプレビューサイズ画像で先に生成されたプレビューサイズ画像をオーバーレイするように構成される
ことを特徴とする請求項１２に記載の装置。
【請求項１５】
前記撮像装置は、更に、画像記憶モジュールを備え、
前記表示モジュールは、更に、撮像終了後、ビューファインダーにすべての生成された画像を表示するように構成され、
前記制御モジュールは、ビューファインダーでユーザーにより選択された画像を最終に撮像された写真とし、前記画像記憶モジュールに記憶するように構成される
ことを特徴とする請求項１０に記載の装置。
【請求項１６】
前記撮像装置は、更に、画像記憶モジュールを備え、
前記表示モジュールは、撮像終了後、ビューファインダーにすべての生成されたプレビューサイズ画像を表示するように構成され、
前記制御モジュールは、ビューファインダーでユーザーにより選択されたプレビューサイズ画像に対応するフルサイズ画像を最終に撮像された写真とし、前記画像記憶モジュールに記憶するように構成される
ことを特徴とする請求項１２に記載の装置。
【請求項１７】
前記撮像装置は、更に、画像記憶モジュールを備え、
前記制御モジュールは、撮像終了後、ビューファインダーに現在表示されている画像を最終に撮像された写真とし、前記画像記憶モジュールに記憶するように構成される
ことを特徴とする請求項１０に記載の装置。
【請求項１８】
前記撮像装置は、更に、画像記憶モジュールを備え、
前記制御モジュールは、撮像終了後、ビューファインダーに現在表示されているプレビューサイズ画像に対応するフルサイズ画像を最終に撮像された写真とし、前記画像記憶モジュールに記憶するように構成される
ことを特徴とする請求項１２に記載の装置。
【発明の詳細な説明】
【技術分野】
【０００１】
本発明は撮像技術分野に関し、特に、スローシャッタの撮像方法及び撮像装置に関する。
【背景技術】
【０００２】
撮像装置において、シャッタ速度は、カメラで撮像を行う際にシャッタがオン状態になる時間を表す。フィルム又はセンサーに到達した光の量又は露光量は、シャッタ速度とカメラレンズの絞りの大きさ(Ｆナンバーとも呼ばれる)によって決定される。シャッタ速度が速いほど、露光時間が短いことを意味するので、露光量がより少ないが、運動物体の場合は、フィルム上に、より鮮明な映像が表示されることができる。シャッタ速度が遅いほど、露光時間が長いことを意味するので、露光量がより多いが、運動物体の場合は、フィルム上に、映像が不鮮明に表示されることができる。通常には、１／３０秒以下のシャッタ速度で写真を撮像することをスローシャッタ撮像と言い、スローシャッタ撮像を利用して特殊な効果又は芸術効果を有する写真を取得することができる。
【０００３】
従来の技術において、ある撮像装置は、スローシャッタ撮像過程で、所定の期間ごとに画像データを１回収集し、画像データから複数の画像を連続的に生成することができることによって、露光効果をリアルタイムに表示することを実現する。しかしながら、従来技術において、画像データを連続的に収集する時間間隔は一定であり、実際の状況によって変更することができない。また、データを処理する速度は、撮像装置ごとに異なっている。同一の撮像装置においても、データを処理する速度は、具体的状況に応じて異なる。そのため、過度に長い時間間隔が設定されている場合、露光効果を表示するリアルタイム特性が不足して、ユーザー体験に影響を与える。過度に短い時間間隔が設定されている場合、撮像装置の計算能力を超え、データの損失が起こる可能性がある。
【発明の概要】
【発明が解決しようとする課題】
【０００４】
本発明の主な目的は、撮像装置の処理能力を最大限に利用し、露光効果を表示するリアルタイム特性を向上させ、ユーザー体験を向上させるためのスローシャッタの撮像方法及び撮像装置を提供することにある。
【課題を解決するための手段】
【０００５】
本発明は、前記課題を解決するために、スローシャッタの撮像方法を提供することを目的とする。この方法は、
撮像過程において、画像データをキャッシュモジュールに連続的に収集し、前記キャッシュモジュールの余剰スペースに応じて、収集速度を調整することと、
前記画像データに応じて、画像を連続的に生成することと、
前記画像をビューファインダーに表示することとを含む。
【０００６】
好ましくは、前記キャッシュモジュールの余剰スペースに応じて、収集速度を調整することは、
前記キャッシュモジュールの余剰スペースが予め設定された値に達するかどうかを判断することと、
予め設定された値に達した場合、収集速度を予め設定された速度に調整することとを含む。
【０００７】
好ましくは、前記画像をビューファインダーに表示することは、
ビューファインダーに前記画像を一つずつ表示し、且つ後に生成された画像で先に生成された画像をオーバーレイすることを含む。
【０００８】
好ましくは、前記画像をビューファインダーに表示した後、更に、
撮像終了後、すべての生成された画像をビューファインダーに表示することと、
ビューファインダーでユーザーにより選択された画像を最終に撮像された写真とし、画像記憶モジュールに記憶することとを含む。
【０００９】
好ましくは、前記前記画像をビューファインダーに表示した後、更に、
撮像終了後、ビューファインダーに現在表示している画像を最終に撮像された写真とし、画像記憶モジュールに記憶することを含む。
【００１０】
好ましくは、前記画像データに応じて、画像を連続的に生成することは、前記画像データに応じて、プレビューサイズ画像とフルサイズ画像をそれぞれ連続的に生成することを含み、前記ビューファインダーに前記画像を表示することは、ビューファインダーに前記プレビューサイズ画像を表示することを含む。
【００１１】
好ましくは、前記ビューファインダーに前記画像を表示することは、
ビューファインダーに前記プレビューサイズ画像を一つずつ表示し、且つ後に生成されたプレビューサイズ画像で先に生成されたプレビューサイズ画像をオーバーレイすることを含む。
【００１２】
好ましくは、前記ビューファインダーに前記画像を表示した後、更に、
撮像終了後、ビューファインダーにすべての生成されたプレビューサイズ画像を表示することと、
ビューファインダーでユーザーにより選択されたプレビューサイズ画像に対応するフルサイズ画像を最終に撮像された写真とし、画像記憶モジュールに記憶することとを含む。
【００１３】
好ましくは、前記ビューファインダーに前記画像を表示した後、更に、
撮像終了後、ビューファインダーに現在表示されているプレビューサイズ画像に対応するフルサイズ画像を最終に撮像された写真とし、画像記憶モジュールに記憶することを含む。
【００１４】
本発明はまた、撮像装置を提供する。この撮像装置は、
各モジュールの動作を総合的に制御するように構成される制御モジュールと、
撮像過程において、画像データをキャッシュモジュールに連続的に収集し、前記キャッシュモジュールの余剰スペースに応じて、収集速度を調整するように構成される撮像モジュールと、
前記画像データをキャッシュするように構成されるキャッシュモジュールと、
前記画像データに応じて、画像を連続的に生成するように構成される生成モジュールと、
前記連続的に生成された画像を一時的に記憶するように構成される一時記憶モジュールと、
ビューファインダーに前記画像を表示するように構成される表示モジュールとを備える。
【００１５】
好ましくは、前記撮像モジュールは、
前記キャッシュモジュールの余剰スペースが予め設定された値に達するかどうかを判断し、予め設定された値に達した場合、収集速度を予め設定された速度に調整するように構成される。
【００１６】
好ましくは、前記一時記憶モジュールは、第一の一時記憶ユニットと第二の一時記憶ユニットを備える。
【００１７】
好ましくは、前記表示モジュールは、ビューファインダーに前記画像を一つずつ表示し、且つ後に生成された画像で先に生成された画像をオーバーレイするように構成される。
【００１８】
好ましくは、前記撮像装置は、更に、画像記憶モジュールを備え、前記表示モジュールは、撮像終了後、ビューファインダーにすべての生成された画像を表示するように構成され、前記制御モジュールは、ビューファインダーでユーザーにより選択された画像を最終に撮像された写真とし、前記画像記憶モジュールに記憶するように構成される。
【００１９】
好ましくは、前記制御モジュールは、撮像終了後、ビューファインダーに現在表示されている画像を最終に撮像された写真とし、前記画像記憶モジュールに記憶するように構成される。
【００２０】
前記生成モジュールは、収集された画像データに応じて、プレビューサイズ画像とフルサイズ画像をそれぞれ連続的に生成し、前記プレビューサイズ画像を前記第一の一時記憶ユニットに記憶し、前記フルサイズ画像を前記第二の一時記憶ユニットに記憶するように構成され、
前記制御モジュールは、第一の一時記憶ユニットに記憶されるプレビューサイズ画像を前記表示モジュールに出力して表示するように構成される。
【００２１】
好ましくは、前記表示モジュールは、ビューファインダーに前記プレビューサイズ画像を一つずつ表示し、且つ後に生成されたプレビューサイズ画像で先に生成されたプレビューサイズ画像をオーバーレイするように構成される。
【００２２】
好ましくは、前記表示モジュールは、撮像終了後、ビューファインダーにすべての生成されたプレビューサイズ画像を表示するように構成され、前記制御モジュールは、ビューファインダーでユーザーにより選択されたプレビューサイズ画像に対応するフルサイズ画像を最終に撮像された写真とし、前記画像記憶モジュールに記憶するように構成される。
【００２３】
好ましくは、前記制御モジュールは、撮像終了後、ビューファインダーに現在表示されているプレビューサイズ画像に対応するフルサイズ画像を最終に撮像された写真とし、前記画像記憶モジュールに記憶するように構成される。
【００２４】
本発明より提供されるスローシャッタの撮像方法は、撮像の全過程において、画像データを連続的に収集し、収集された画像データから画像を連続的に生成する。ユーザーが露光効果をプレビューするように、ビューファインダーに画像をリアルタイムに表示する。画像データを収集する過程において、キャッシュモジュールの余剰スペースに応じて、収集速度をリアルタイムに調整することによって、撮像装置の処理能力を最大限に利用するとともに、収集速度が速すぎてデータが損失されることを防止する。また、露光効果を表示するリアルタイム特性をさらに向上させ、ユーザー体験を向上させる。露光終了後、ユーザーは、ビューファインダーで複数の異なる露光効果の写真を選択することができ、一回の撮像で、各種の撮像効果を有する複数の写真を収集することができ、ユーザー体験をさらに向上させる。
【図面の簡単な説明】
【００２５】
【図１】本発明に係るスローシャッタの撮像方法の第一実施例のフローチャートである。
【図２】本発明に係るスローシャッタの撮像方法の第二実施例のフローチャートである。
【図３】本発明に係る撮像装置の第一実施例のモジュールを表す図である。
【図４】本発明に係る撮像装置の第二実施例のモジュールを表す図である。
【発明を実施するための形態】
【００２６】
本発明の実施例、図面を参照して、本発明の目的の実現、機能特徴及び利点を詳しく説明する。
【００２７】
ここで記載される具体的な実施例は、本発明を解釈するためのものであるが、本発明を制限するためのものではないと理解すべきである。
【００２８】
図１を参照して、本発明に係るスローシャッタの撮像方法の第一実施例を説明する。前記スローシャッタの撮像方法は、以下のステップを含む。
【００２９】
ステップＳ１０１：撮像が開始された後、画像データをキャッシュモジュールに連続的に収集し、キャッシュモジュールの余剰スペースに応じて、収集速度をリアルタイムに調整する。
【００３０】
ユーザーによりシャッタボタンが押下された又は仮想シャッタボタンがトリガされた後、撮像装置は、撮像を開始し、画像データをキャッシュモジュールに連続的に収集する。画像データを収集する過程において、キャッシュモジュールの余剰スペースが予め設定された値に達するかどうかをリアルタイムに判断し、達した場合、収集速度を予め設定された速度に調整する。 
例えば、撮像装置は、キャッシュモジュールの余剰スペースが５０％以上であることを検出した場合、最大速度で画像データを収集する。キャッシュモジュールの余剰スペースが５０％以下であることを検出した場合、収集速度を現在の速度の半分に下げる。キャッシュモジュールの余剰スペースがまた５０％以上に回復する場合、収集速度を再度、最大速度に調整する。実際の要求に応じて、予め設定された値と予め設定された速度を複数に細分化して、レベルによるインクリメント又はデクリメントを実現する。したがって、撮像装置の処理能力を最大限に利用するとともに、収集速度が速すぎてデータがオーバーフローして、ひいてはデータが損失されることを防止する。
【００３１】
ステップＳ１０２：前記画像データに応じて、画像を連続的に生成する。
【００３２】
撮像装置は、収集された画像データに対して一連の演算を行った後、画像を生成し、生成された画像を一時的に記憶する。具体的には、撮像装置は、現在受信された画像データを過去受信された画像データに加算した後、新しい画像を合成し、生成された画像に対してノイズ低減処理を行う。これと同時に、現有画像の露光度に応じて、新たに収集された画像の合成比例を制御し、露光過度の発生を抑える。一番目の画像のＲＧＢ又はＹＵＶ情報はＲＧＢ１又はＹＵＶ１(ＹＵＶとＲＧＢが互いに変換可能なので、以下はＹＵＶで一括して記載する)の場合、ｎ番目の画像のＹＵＶ情報は、ＹＵＶｎ＝(１／ｍ)*(ＹＵＶ１＋・・・.＋ＹＵＶｎ−１)であり、ここで、ｍが絞りのパラメータ値である。各画像は、連続的に生成されたものが、撮像装置の計算処理速度に限られる。実際には、生成された隣接の画像の間に一定の時間間隔がある。計算速度が速いほど、時間間隔が短い。これと同時に、画像を生成する速度は、前のステップＳ１０１における画像データの収集速度にも影響を与える。画像を生成する速度が速いほど、キャッシュモジュールから画像データを読み取る速度が速く、キャッシュモジュールの領域を空ける速度が速く、撮像装置は画像データの収集速度が速い。
【００３３】
ある好ましい実施例において、撮像装置は、収集された画像データに応じて、プレビューサイズ画像とフルサイズ画像をそれぞれ連続的に生成し、プレビューサイズ画像をビューファインダーに出力してリアルタイムに表示する。前記プレビューサイズ画像は、小さい画素を有する画像である。フルサイズ画像は、ユーザーにより要求された又は設定された大きい画素を有する画像であり、プレビューサイズ画像の画素よりずっと大きい。大きい画素を有する画像を生成する速度は遅いため、撮像装置の計算速度が遅い場合、リアルタイムに表示される画像が一時的に停止されてしまう。二つのスレッドでプレビューサイズ画像とフルサイズ画像をそれぞれ生成する。プレビューサイズ画像の画素が小さいため、生成する速度が速い。そして、プレビューサイズ画像をビューファインダーにスムーズに出力してリアルタイム表示して、一時停止を回避する。
【００３４】
ステップＳ１０３：ビューファインダーに前記画像を一つずつ表示し、且つ後に生成された画像で先に生成された画像をオーバーレイする。
【００３５】
すなわち、ユーザーがシャッタを押下した後、生成された一番目の画像Ｐ１がビューファインダーに表示される。一定の時間を経て、二番目の画像Ｐ２で画像Ｐ１を覆ってビューファインダーに表示され、…、ｎ番目の画像Ｐｎで画像Ｐｎ−１を覆ってビューファインダーに表示される。したがって、撮像の過程において、写真における異なる露光時間での露光効果をリアルタイムに表示することを実現する。
【００３６】
ステップＳ１０４：撮像終了後、ビューファインダーに現在表示されている画像を最終に撮像された写真として記憶する。
【００３７】
スローシャッタ撮像を行うシャッタは、Ｂシャッタ、Ｔシャッタなどを含む。ここで、Ｂシャッタについては、シャッタの押下からシャッタの開放までの期間において、シャッタがオン状態を維持することである。Ｔシャッタについては、シャッタの押下からシャッタの再度、押下までの期間において、シャッタをオン状態を維持することである。ユーザーは、ビューファインダーに現在表示されている画像の露光効果を満足する場合、Ｂシャッタを開放する又はＴシャッタを再度、押下することによって、撮像を終了し、露光の全過程も終了する。この時、撮像装置は、ビューファインダーに現在表示されている画像を最終に撮像された写真として記憶する。したがって、ユーザーは、一回のみ撮像することによって、撮像効果がよい写真を収集することができる。
【００３８】
ある実施例におけるプレビューサイズ画像とフルサイズ画像をそれぞれ生成する場合、最後に生成されたフルサイズ画像を最終に撮像された写真として記憶する。
【００３９】
図２を参照して、本発明に係るスローシャッタの撮像方法の第二実施例を説明する。前記スローシャッタの撮像方法は、以下のステップを含む。
【００４０】
ステップＳ２０１：撮像が開始された後、画像データをキャッシュモジュールに連続的に収集し、キャッシュモジュールの余剰スペースに応じて、収集速度をリアルタイムに調整する。
【００４１】
ステップＳ２０２：画像データに応じて、画像を連続的に生成する。
【００４２】
ステップＳ２０３：ビューファインダーに前記画像を一つずつ表示し、且つ後に生成された画像で先に生成された画像をオーバーレイする。
【００４３】
本実施例におけるステップＳ２０１〜Ｓ２０３は、第一実施例におけるステップＳ１０１〜Ｓ１０３と同じ、且つステップＳ２０１はステップＳ１０１と対応し、ステップＳ２０２はステップＳ１０２と対応し、ステップＳ２０３はステップＳ１０３対応し、ここで詳細な説明を省略する。
【００４４】
ステップＳ２０４：撮像終了後、ビューファインダーにすべての生成された画像を表示する。
【００４５】
ユーザーは、Ｂシャッタを解放して又はＴシャッタを再度、押下して、撮像の全過程を終了する。撮像装置は、すべての生成された画像をビューファインダーに張って表示する。したがって、撮像の過程において、写真における異なる露光時間での露光効果をリアルタイムに表示するとともに、異なる露光効果を有する画像を表示して、ユーザーが画像を比べて選択するようにする。
【００４６】
ステップＳ２０５：ビューファインダーでユーザーにより選択された画像を最終に撮像された写真として記憶する。 
ユーザーは、ビューファインダーで生成された画像を参照して、それらから好みの一枚又は複数枚の画像を選択する。撮像装置は、ユーザーにより選択された画像を最終に撮像された写真として記憶する。したがって、ユーザーは、一回撮像することによって、各種の撮像効果を有する複数の写真を収集することができる。
【００４７】
よって、本発明に係るスローシャッタの撮像方法は、撮像の全過程において、画像データを連続的に収集する。ユーザーが露光効果をプレビューするように、収集された画像データから画像を連続的に生成してビューファインダーにリアルタイムに表示する。画像データを収集する過程において、キャッシュモジュールの余剰スペースに応じて、収集速度をリアルタイムに調整することによって、撮像装置の処理能力を最大限に利用するとともに、収集速度が速すぎてデータが損失されることを防止する。露光効果を表示するリアルタイム特性をさらに向上させ、ユーザー体験を向上させる。露光終了後、ユーザーは、ビューファインダーに異なる露光効果を有する複数の写真を選択することができ、一回撮像することによって各種の撮像効果を有する複数の写真を収集することができ、ユーザー体験をさらに向上させる。
【００４８】
図３を参照して、本発明に係る撮像装置の第一実施例を説明する。前記撮像装置は、カメラ又は撮像機能を有する携帯電話であってもよいし、タブレットなどの端末であってもよい。前記撮像装置は、上記スローシャッタの撮像方法を実現するための撮像装置であり、制御モジュール１１０、撮像モジュール１２０、キャッシュモジュール１３０、生成モジュール１４０、一時記憶モジュール１５０、表示モジュール１６０及び画像記憶モジュール１７０を含む。
【００４９】
制御モジュール１１０は、各モジュールの動作を総合的に制御して、さらにフローチャート全体を制御するように構成される。
【００５０】
撮像モジュール１２０は、撮像の過程において、画像データをキャッシュモジュールに連続的に収集し、キャッシュモジュールの余剰スペースに応じて、収集速度を調整するように構成される。
【００５１】
ユーザーによりシャッタボタンが押下された又は仮想シャッタボタンがトリガされた後、撮像モジュール１２０は、撮像を開始し、画像データをキャッシュモジュールに連続的に収集する。画像データを収集する過程において、キャッシュモジュールの余剰スペースが予め設定された値に達するかどうかをリアルタイムに判断し、達した場合、収集速度を予め設定された速度に調整する。
例えば、撮像モジュール１２０は、キャッシュモジュール１３０の余剰スペースが５０％以上であることを検出した場合、最大速度で画像データを収集する。キャッシュモジュール１３０の余剰スペースが５０％以下であることを検出した場合、収集速度を現在の速度の半分に下げる。キャッシュモジュール１３０の余剰スペースがまた５０％以上に回復する場合、収集速度を再度、最大速度に調整する。実際の要求に応じて、予め設定された値と予め設定された速度を複数に細分化し、レベルによるインクリメント又はデクリメントを実現する。したがって、撮像装置の処理能力を最大限に利用するとともに、収集速度が速すぎてデータがオーバーフローして、データが損失されることを防止する。
【００５２】
生成モジュール１４０は、画像データに応じて、画像を連続的に生成するように構成される。
【００５３】
生成モジュール１４０は、キャッシュモジュール１３０における画像データを読み取り、収集された画像データに対して一連の演算を行った後、画像を生成し、生成された画像を一時記憶モジュールに記憶する。具体的には、生成モジュール１４０は、現在収集された画像データを過去の画像データに加算した後、新しい画像を合成し、生成された画像にノイズ低減処理を行う。これと同時に、現有画像の露光度に応じて、新たに収集された画像の合成比例を制御し、露光過度の発生を抑える。一番目の画像のＲＧＢ又はＹＵＶ情報はＲＧＢ１又はＹＵＶ１(ＹＵＶとＲＧＢが互いに変換可能なので、以下はＹＵＶで一括して記載する)の場合、ｎ番目の画像のＹＵＶ情報は、ＹＵＶｎ＝(１／ｍ)*(ＹＵＶ１＋・・・.＋ＹＵＶｎ−１)であり、ここで、ｍが絞りのパラメータ値である。
【００５４】
各画像は、連続的に生成されたものが、生成モジュール１４０の計算処理速度に限られる。生成された隣接の画像の間に一定の時間間隔がある。計算速度が速いほど、時間間隔が短い。これと同時に、生成モジュール１４０が画像を生成する速度は、撮像モジュール１２０が画像データの収集速度にも影響を与える。画像を生成する速度が速いほど、キャッシュモジュール１３０における画像データを読み取る速度が速く、キャッシュモジュールの領域を空ける速度が速く、撮像モジュール１２０は画像データの収集速度が速い。
【００５５】
表示モジュール１６０は、ビューファインダーに連続的に生成された画像をリアルタイムに表示するように構成される。
【００５６】
制御モジュール１１０は、一時記憶モジュール１５０における画像を表示モジュール１６０にリアルタイムに出力する。表示モジュール１６０は、ビューファインダーに前記画像を一つずつ表示し、且つ後に生成された画像で先に生成された画像をオーバーレイする。すなわち、ユーザーがシャッタを押下する際、生成された一番目の画像Ｐ１がビューファインダーに表示される。一定の時間を経て、二番目の画像Ｐ２で画像Ｐ１を覆ってビューファインダーに表示され、…、ｎ番目の画像Ｐｎで画像Ｐｎ−１を覆ってビューファインダーに表示される。したがって、撮像の過程において、写真における異なる露光時間での露光効果をリアルタイムに表示することを実現する。
【００５７】
スローシャッタ撮像を行うシャッタは、Ｂシャッタ、Ｔシャッタなどを含む。ここで、Ｂシャッタについては、シャッタの押下からシャッタの開放までの期間において、シャッタがオン状態を維持することである。Ｔシャッタについては、シャッタの押下からシャッタの再度、押下までの期間において、シャッタをオン状態を維持することである。ユーザーは、ビューファインダーに現在表示されている画像の露光効果を満足する場合、Ｂシャッタを開放する又はＴシャッタを再度、押下することによって、撮像を終了して、露光の全過程も終了する。撮像終了後、制御モジュール１１０は、ビューファインダーに現在表示されている画像を最終に撮像された写真として画像記憶モジュール１７０に記憶する。このため、ユーザーは、一回撮像することによって、撮像効果がよい写真を収集することができる。
【００５８】
ある実施例において、撮像終了後、制御モジュール１１０は、表示モジュール１６０を制御して、撮像の過程で生成されたすべての画像をビューファインダーに張って表示する。ユーザーは、それらの画像を比べて選択することができる。最後に、制御モジュール１１０は、ビューファインダーでユーザーにより選択された一枚又は複数枚の画像を最終に撮像された写真とし、画像記憶モジュール１７０に記憶する。撮像の過程において、写真における異なる露光時間での露光効果をリアルタイムに表示するとともに、異なる露光効果を有する画像を表示することができる。
【００５９】
図４を参照して、本発明に係る撮像装置の第二実施例を説明する。前記撮像装置は、制御モジュール１１０、撮像モジュール１２０、キャッシュモジュール１３０、生成モジュール１４０、一時記憶モジュール１５０、表示モジュール１６０及び画像記憶モジュール１７０を含む。
【００６０】
本実施例と直前の実施例との相違点について、一時記憶モジュール１５０は、第一の一時記憶ユニット１５１と第二の一時記憶ユニット１５２を含む。生成モジュール１４０は、収集された画像データに応じて、二つのスレッドでプレビューサイズ画像とフルサイズ画像をそれぞれ連続的に生成し、プレビューサイズ画像を第一の一時記憶ユニット１５１に記憶し、フルサイズ画像を第二の一時記憶ユニット１５２に記憶する。制御モジュール１１０は、第一の一時記憶ユニット１５１に記憶されるプレビューサイズ画像を表示モジュール１６０に出力してリアルタイムに表示する。撮像終了後、制御モジュール１１０は、第二の一時記憶ユニット１５２に最後に記憶された画像を最終に撮像された写真として、画像記憶モジュール１７０に記憶する。ある実施例において、制御モジュール１１０は、ビューファインダーでユーザーにより選択された画像を第二の一時記憶ユニット１５２から読み取って画像記憶モジュール１７０に記憶する。
【００６１】
前記プレビューサイズ画像は、小さい画素を有する画像である。フルサイズ画像は、ユーザーにより要求された又は設定された大きい画素を有する画像である。フルサイズ画像の画素は、プレビューサイズ画像の画素よりずっと大きい。大きい画素を有する画像を生成する速度は遅いため、生成モジュール１４０の計算速度が遅い場合、リアルタイムに表示される画像が一時的に停止されてしまう。そのため、二つのスレッドでプレビューサイズ画像とフルサイズ画像をそれぞれ生成する。プレビューサイズ画像の画素が小さいため、生成する速度が速い。そして、プレビューサイズ画像をビューファインダーにスムーズに出力してリアルタイム表示して、一時停止を回避する。
【００６２】
本発明より提供される撮像装置は、スローシャッタ撮像を行う全過程において、画像データを連続的に収集し、収集された画像データから画像を連続的に生成する。ユーザーが露光効果をプレビューするように、ビューファインダーに画像をリアルタイムに表示する。画像データを収集する過程において、キャッシュモジュールの余剰スペースに応じて、収集速度をリアルタイムに調整することによって、撮像装置の処理能力を最大限に利用するとともに、収集速度が速すぎてデータが損失されることを防止する。露光効果を表示するリアルタイム特性をさらに向上させ、ユーザー体験を向上させる。露光終了後、ユーザーは、ビューファインダーに異なる露光効果を有する複数の写真を選択することができ、一回撮像することによって、各種の撮像効果を有する複数の写真を収集することができ、ユーザー体験をさらに向上させる。以上は、本発明の最適的な実施例に過ぎず、本発明を制限せず、本発明の明細書及び図面を利用して作成された同等な構成又は同等なフローチャット、その他関連分野に直接に又は間接に応用したものは、本発明の保護範囲以内に含まれるべきである。
【産業上の利用可能性】
【００６３】
本発明より提供されるスローシャッタの撮像方法は、撮像の全過程において、画像データを連続的に収集し、収集された画像データから画像を連続的に生成する。ユーザーが露光効果をプレビューするように、ビューファインダーにリアルタイムに画像を表示する。画像データを収集する過程において、キャッシュモジュールの余剰スペースに応じて、収集速度をリアルタイムに調整することによって、撮像装置の処理能力を最大限に利用するとともに、収集速度が早すぎてデータが損失されることを防止する。露光効果を表示するリアルタイム特性をさらに向上させ、ユーザー体験を向上させる。露光終了後、ユーザーは、ビューファインダーで異なる露光効果を有する複数の写真を選択することができ、一回撮像することによって、各種の撮像効果を有する複数の写真を収集することができ、ユーザー体験をさらに向上させる。
【図１】
0006317466.tif 000002
【図２】
0006317466.tif 000003
【図３】
0006317466.tif 000004
【図４】
0006317466.tif 000005